(57)【特許請求の範囲】
【請求項１】
底板と前記底板の前端面の右端に固定的に設けられた固定ブロックを含み、前記底板と前記固定ブロックには自動開閉装置が設けられ、前記自動開閉装置は前記底板と前記固定ブロックの上下両側に対称に設けられた第一側板を含み、前記第一側板の向き合っている側の端面には第一緩衝スポンジが固定的に設けられ、前記固定ブロックの上下端面には右方へ開口した第一翻転溝が対称に形成され、前記第一翻転溝の開口方向が互いに逆であり、前記第一翻転溝の前後壁の間には第一翻転ブロックが回転できるように設けられ、前記第一翻転ブロックの一端が前記第一側板と固定的に連結され、電動バイクを物流箱の中に入れるあるいは物流箱の中から取り出すとき、伝動によって前記第一側板を制御しそれぞれ上下両側へ翻転させることができ、出し入れに便利であり、前記固定ブロックの後側には前輪固定装置が設けられ、前記前輪固定装置は前記固定ブロックの左端面の後側に上下対称に設けられた第一スライドブロック空間を含み、前記第一スライドブロック空間が左方へ開口しており、前記第一スライドブロック空間の上下壁の間には第一ねじロッドが回転できるように設けられ、前記第一スライドブロック空間の中には前記第一ねじロッドにねじ山により連結されかつ左端が外部に延びた第一スライドブロックが上下スライド可能に設置され、前記第一スライドブロックの向き合っている側の端面において前記第一スライドブロック空間の外部には挟み板が固定的に設けられ、前記挟み板の向き合っている側の端面には第二緩衝スポンジが固定的に設けられ、前記挟み板は前輪を挟んで、輸送中にハンドルと前輪が回ったり揺れたりすることを防止でき、前記第一側板には押しロッド装置が設けられ、前記押しロッド装置は前記第一側板の中に設けられた昇降空間を含み、前記昇降空間の後壁の中には第二モーターが固定的に設けられ、前記第二モーターの前端には第六ねじロッドが伝動できるように連結され、前記昇降空間の中には前記第六ねじロッドにねじ山によって連結された昇降ブロックが前後にスライドできるように設けられていることを特徴とするペダル付き電動バイク輸送用の繰り返して使用可能な物流箱。
【請求項２】
前記自動開閉装置は、前記固定ブロックの上下端面に対称に設けられ且つ前記第一翻転溝の左側に位置する第二スライドブロック空間を含み、前記第二スライドブロック空間の互いに近接する側の内壁には第二ねじロッドが回転できるように設けられ、前記第二スライドブロック空間の中には前記第二ねじロッドにねじ山によって連結された第二スライドブロックが上下にスライドできるように設けられ、前記第二スライドブロックの相反する端には連結溝が形成され、前記第一側板の中の右側には第三スライドブロック空間が設けられ、前記第三スライドブロック空間の中には第三スライドブロックが左右にスライドできるように設けられ、前記第三スライドブロック空間の互いに近接する側の内壁には連結通路が連通するように設けられ、前記連結通路の開口が向き合っおり、前記連結通路の中には一端が前記第三スライドブロックと固定的に連結された当接ロッドが左右にスライドできるように設けられ、前記当接ロッドのもう一端が前記連結溝の前後壁の間に回転できるように連結されていることを特徴とする請求項１に記載のペダル付き電動バイク輸送用の繰り返して使用可能な物流箱。
【請求項３】
前記固定ブロックの中において前記第二スライドブロック空間の間には第一連動空間が設けられ、前記第一連動空間の上下壁の間には第一回転軸が回転できるように設けられ、前記第一回転軸の上下両端が前記第二スライドブロック空間の中に延びて前記第二ねじロッドと固定的に連結され、前記第一回転軸において前記第一連動空間の中には第一歯車が固定的に設けられ、前記底板の中において前記固定ブロックの後方には動力空間が設けられ、前記動力空間の右壁には第一モーターが固定的に設けられ、前記第一モーターの左端には第二回転軸が伝動できるように連結され、前記第二回転軸には第一はすば歯車が固定的に設けられ、前記動力空間の前壁の中には前端が前記第一連動空間の中に延びた第三回転軸が回転できるように設けられ、前記第三回転軸の後端において前記動力空間の中には前記第一はすば歯車と噛み合っている第二はすば歯車が固定的に設けられ、前記第三回転軸の前端において前記第一連動空間の中には前記第一回転軸と噛み合っている第三ねじロッドが固定的に設けられていることを特徴とする請求項２に記載のペダル付き電動バイク輸送用の繰り返して使用可能な物流箱。
【請求項４】
前記底板の左端面には前方と左方へ開口した第二翻転溝が形成され、前記第二翻転溝の上下壁の間には第四回転軸が回転できるように設けられ、前記第四回転軸には前端が外部に延びた第二側板が固定的に設けられ、前記第二側板の後端において前記動力空間の左側にはラック溝穴が設けられ、前記第四回転軸において前記ラック溝穴の中には弓形ラックが固定的に設けられ、前記第二回転軸の左端が前記第二翻転溝の中に延び、前記第二回転軸の左端には前記弓形ラックと噛合している第四ねじロッドが固定的に設けられていることを特徴とする請求項３に記載のペダル付き電動バイク輸送用の繰り返して使用可能な物流箱。
【請求項５】
前記前輪固定装置は、前記固定ブロックの中に設けられ且つ前記第一スライドブロック空間の間に位置する第二連動空間を含み、前記第二連動空間の前後壁の間には第五回転軸が回転できるように設けられ、前記第五回転軸の前後両端が前記第一スライドブロック空間の中に延びて前記第一ねじロッドと固定的に連結され、前記第五回転軸において前記第二連動空間の中には第二歯車が固定的に設けられ、前記第二はすば歯車において前記第二連動空間の中には前記第二歯車と噛合している第五ねじロッドが固定的に設けられていることを特徴とする請求項３に記載のペダル付き電動バイク輸送用の繰り返して使用可能な物流箱。
【請求項６】
前記押しロッド装置は、前記昇降ブロックに上下に貫通するように設けられた押しロッドスライド通路を含み、前記第一緩衝スポンジには前記昇降空間と連通している昇降通路が設けられ、前記昇降通路の開口が向き合っており、上下両側の前記押しロッドスライド通路の中には前記昇降通路を貫通した押しロッドが上下にスライドできるように設けられ、下側の前記昇降空間の下壁には下方へ開口した押しロッド出口が連通するように設けられ、前記昇降ブロックが前限界位置までスライドしたとき、前記押しロッドスライド通路が前記押しロッド出口と連通し、且つ前記押しロッドが前記押しロッドを通って外部までスライドできることを特徴とする請求項１に記載のペダル付き電動バイク輸送用の繰り返して使用可能な物流箱。
【請求項７】
下側の前記押しロッドスライド通路の後壁には引っ掛かり溝が連通するように形成され、前記押しロッドの後端面の下端には引っ掛かりブロック空間が設けられ、前記引っ掛かりブロック空間の中には引っ掛かりブロックが前後にスライドできるように設けられ、前記引っ掛かりブロックの後端は前記引っ掛かり溝の中まで伸びることができ、前記引っ掛かりブロックの前端と前記引っ掛かりブロック空間の内壁にはばねが固定的に連結され、前記引っ掛かりブロックの前端には引き糸が固定的に設けられ、前記引き糸の一端が前記押しロッドの下端を貫通し外部まで延びており、且つ前記引き糸の一端には引きリングが固定的に設けられていることを特徴とする請求項６に記載のペダル付き電動バイク輸送用の繰り返して使用可能な物流箱。
【発明の詳細な説明】
【技術分野】
【０００１】
本願発明は電動バイク関連設備技術分野を取り上げて、具体的にはペダル付き電動バイク輸送用の繰り返して使用可能な物流箱である。
【背景技術】
【０００２】
電動バイクはバッテリーで電力を提供され、モーターで駆動される電動自動車であり、エコで値段も低い。近頃、中国では広く普及され、多くの家庭の主な外出方式となってきた。現在の電動バイク輸送はほとんど、使い捨ての木製輸送フレームを使用し、ワイヤなどで電動バイクを輸送フレームに固定する。輸送中の揺れを軽減できるが、輸送前後の固定作業と取り外し作業は力がかかり、不便となる。また、輸送中で電動バイクを傷つける可能性も高い。本願発明は上記の問題を解決できる。
【先行技術文献】
【特許文献】
【０００３】
【特許文献１】中国特許出願公開第１０６３１５０４６号明細書
【発明の概要】
【発明が解決しようとする課題】
【０００４】
技術問題：今の電動バイク輸送はほとんど使い捨ての木製輸送フレームを使用し、ワイヤなどで電動バイクを輸送フレームに固定し、輸送中の揺れを軽減できるが、輸送前後の固定作業と取り外し作業は力がかかり、不便となり、また、輸送中で電動バイクを傷つける可能性も高い。
【課題を解決するための手段】
【０００５】
上記の課題を解決するため、本願発明は以下の技術プランを採用する：本願発明であるペダル付き電動バイク輸送用の繰り返して使用可能な物流箱は、底板と前記底板の前端面の右端に固定的に設けられた固定ブロックを含み、前記底板と前記固定ブロックには自動開閉装置が設けられ、前記自動開閉装置は前記底板と前記固定ブロックの上下両側に対称に設けられた第一側板を含み、前記第一側板の向き合っている側の端面には第一緩衝スポンジが固定的に設けられ、前記固定ブロックの上下端面には右方へ開口した第一翻転溝が対称に形成され、前記第一翻転溝の開口方向が互いに逆であり、前記第一翻転溝の前後壁の間には第一翻転ブロックが回転できるように設けられ、前記第一翻転ブロックの一端が前記第一側板と固定的に連結され、電動バイクを物流箱の中に入れるあるいは物流箱の中から取り出すとき、伝動によって前記第一側板を制御しそれぞれ上下両側へ翻転させることができ、出し入れに便利であり、前記固定ブロックの後側には前輪固定装置が設けられ、前記前輪固定装置は前記固定ブロックの左端面の後側に上下対称に設けられた第一スライドブロック空間を含み、前記第一スライドブロック空間が左方へ開口しており、前記第一スライドブロック空間の上下壁の間には第一ねじロッドが回転できるように設けられ、前記第一スライドブロック空間の中には前記第一ねじロッドにねじ山により連結されかつ左端が外部に延びた第一スライドブロックが上下スライド可能に設置され、前記第一スライドブロックの向き合っている側の端面において前記第一スライドブロック空間の外部には挟み板が固定的に設けられ、前記挟み板の向き合っている側の端面には第二緩衝スポンジが固定的に設けられ、前記挟み板は前輪を挟んで、輸送中にハンドルと前輪が回ったり揺れたりすることを防止でき、前記第一側板には押しロッド装置が設けられ、前記押しロッド装置は前記第一側板の中に設けられた昇降空間を含み、前記昇降空間の後壁の中には第二モーターが固定的に設けられ、前記第二モーターの前端には第六ねじロッドが伝動できるように連結され、前記昇降空間の中には前記第六ねじロッドにねじ山によって連結された昇降ブロックが前後にスライドできるように設けられている。
【０００６】
優選の技術プランとして、前記自動開閉装置は、前記固定ブロックの上下端面に対称に設けられ且つ前記第一翻転溝の左側に位置する第二スライドブロック空間を含み、前記第二スライドブロック空間の互いに近接する側の内壁には第二ねじロッドが回転できるように設けられ、前記第二スライドブロック空間の中には前記第二ねじロッドにねじ山によって連結された第二スライドブロックが上下にスライドできるように設けられ、前記第二スライドブロックの相反する端には連結溝が形成され、前記第一側板の中の右側には第三スライドブロック空間が設けられ、前記第三スライドブロック空間の中には第三スライドブロックが左右にスライドできるように設けられ、前記第三スライドブロック空間の互いに近接する側の内壁には連結通路が連通するように設けられ、前記連結通路の開口が向き合っおり、前記連結通路の中には一端が前記第三スライドブロックと固定的に連結された当接ロッドが左右にスライドできるように設けられ、前記当接ロッドのもう一端が前記連結溝の前後壁の間に回転できるように連結されている。
【０００７】
優選の技術プランとして、前記固定ブロックの中において前記第二スライドブロック空間の間には第一連動空間が設けられ、前記第一連動空間の上下壁の間には第一回転軸が回転できるように設けられ、前記第一回転軸の上下両端が前記第二スライドブロック空間の中に延びて前記第二ねじロッドと固定的に連結され、前記第一回転軸において前記第一連動空間の中には第一歯車が固定的に設けられ、前記底板の中において前記固定ブロックの後方には動力空間が設けられ、前記動力空間の右壁には第一モーターが固定的に設けられ、前記第一モーターの左端には第二回転軸が伝動できるように連結され、前記第二回転軸には第一はすば歯車が固定的に設けられ、前記動力空間の前壁の中には前端が前記第一連動空間の中に延びた第三回転軸が回転できるように設けられ、前記第三回転軸の後端において前記動力空間の中には前記第一はすば歯車と噛み合っている第二はすば歯車が固定的に設けられ、前記第三回転軸の前端において前記第一連動空間の中には前記第一回転軸と噛み合っている第三ねじロッドが固定的に設けられている。
【０００８】
優選の技術プランとして、前記底板の左端面には前方と左方へ開口した第二翻転溝が形成され、前記第二翻転溝の上下壁の間には第四回転軸が回転できるように設けられ、前記第四回転軸には前端が外部に延びた第二側板が固定的に設けられ、前記第二側板の後端において前記動力空間の左側にはラック溝穴が設けられ、前記第四回転軸において前記ラック溝穴の中には弓形ラックが固定的に設けられ、前記第二回転軸の左端が前記第二翻転溝の中に延び、前記第二回転軸の左端には前記弓形ラックと噛合している第四ねじロッドが固定的に設けられている。
【０００９】
優選の技術プランとして、前記前輪固定装置は、前記固定ブロックの中に設けられ且つ前記第一スライドブロック空間の間に位置する第二連動空間を含み、前記第二連動空間の前後壁の間には第五回転軸が回転できるように設けられ、前記第五回転軸の前後両端が前記第一スライドブロック空間の中に延びて前記第一ねじロッドと固定的に連結され、前記第五回転軸において前記第二連動空間の中には第二歯車が固定的に設けられ、前記第二はすば歯車において前記第二連動空間の中には前記第二歯車と噛合している第五ねじロッドが固定的に設けられている。
【００１０】
優選の技術プランとして、前記押しロッド装置は、前記昇降ブロックに上下に貫通するように設けられた押しロッドスライド通路を含み、前記第一緩衝スポンジには前記昇降空間と連通している昇降通路が設けられ、前記昇降通路の開口が向き合っており、上下両側の前記押しロッドスライド通路の中には前記昇降通路を貫通した押しロッドが上下にスライドできるように設けられ、下側の前記昇降空間の下壁には下方へ開口した押しロッド出口が連通するように設けられ、前記昇降ブロックが前限界位置までスライドしたとき、前記押しロッドスライド通路が前記押しロッド出口と連通し、且つ前記押しロッドが前記押しロッドを通って外部までスライドできる。
【００１１】
優選の技術プランとして、下側の前記押しロッドスライド通路の後壁には引っ掛かり溝が連通するように形成され、前記押しロッドの後端面の下端には引っ掛かりブロック空間が設けられ、前記引っ掛かりブロック空間の中には引っ掛かりブロックが前後にスライドできるように設けられ、前記引っ掛かりブロックの後端は前記引っ掛かり溝の中まで伸びることができ、前記引っ掛かりブロックの前端と前記引っ掛かりブロック空間の内壁にはばねが固定的に連結され、前記引っ掛かりブロックの前端には引き糸が固定的に設けられ、前記引き糸の一端が前記押しロッドの下端を貫通し外部まで延びており、且つ前記引き糸の一端には引きリングが固定的に設けられている。
【発明の効果】
【００１２】
本願発明は、自動的に開閉できるから、着荷のとき物流箱の取り外し作業を便利にし、出し入れの速度を速め、大量の時間を節約し、輸送前後の出し入れの作業効率を高め、前輪固定装置と押しロッド装置によって電動バイクを固定するときにワイヤなどを使用しなくてもよく、輸送中の電動バイクの揺れと回りを効果的に軽減し、傷つけられる可能性を下げる。
【図面の簡単な説明】
【００１３】
下記に図１〜５をあわせて本願発明について詳しく説明し、便利に説明するために、下記の方向を以下のように規定する：図１は本願発明装置の正面図であり、以下に述べる上下左右前後の方向と図１の自身投影関係の上下左右前後の方向とが一致である。
【００１４】
【図１】図１は本願発明の全体構成略図
【図２】図２は図１のＡ―Ａ方向の断面図
【図３】図３は図１のＢ―Ｂ方向の断面図
【図４】図４は図１のＣ―Ｃ方向の断面図
【図５】図５は図２のＤ―Ｄ方向の断面図
【発明を実施するための形態】
【００１５】
本願発明であるペダル付き電動バイク輸送用の繰り返して使用可能な物流箱は、主にペダル付き電動バイクの輸送作業に適用され、以下に本願発明の付図とあわせて本願発明を説明する。
【００１６】
本願発明であるペダル付き電動バイク輸送用の繰り返して使用可能な物流箱は、底板１１と前記底板１１の前端面の右端に固定的に設けられた固定ブロック１２を含み、前記底板１１と前記固定ブロック１２には自動開閉装置１０１が設けられ、前記自動開閉装置１０１は前記底板１１と前記固定ブロック１２の上下両側に対称に設けられた第一側板１３を含み、前記第一側板１３の向き合っている側の端面には第一緩衝スポンジ６３が固定的に設けられ、前記固定ブロック１２の上下端面には右方へ開口した第一翻転溝１４が対称に形成され、前記第一翻転溝１４の開口方向が互いに逆であり、前記第一翻転溝１４の前後壁の間には第一翻転ブロック１５が回転できるように設けられ、前記第一翻転ブロック１５の一端が前記第一側板１３と固定的に連結され、電動バイクを物流箱の中に入れるあるいは物流箱の中から取り出すとき、伝動によって前記第一側板１３を制御しそれぞれ上下両側へ翻転させることができ、出し入れに便利であり、前記固定ブロック１２の後側には前輪固定装置１０２が設けられ、前記前輪固定装置１０２は前記固定ブロック１２の左端面の後側に上下対称に設けられた第一スライドブロック空間４０を含み、前記第一スライドブロック空間４０が左方へ開口しており、前記第一スライドブロック空間４０の上下壁の間には第一ねじロッド４１が回転できるように設けられ、前記第一スライドブロック空間４０の中には前記第一ねじロッド４１にねじ山により連結されかつ左端が外部に延びた第一スライドブロック４２が上下スライド可能に設置され、前記第一スライドブロック４２の向き合っている側の端面において前記第一スライドブロック空間４０の外部には挟み板４３が固定的に設けられ、前記挟み板４３の向き合っている側の端面には第二緩衝スポンジ４４が固定的に設けられ、前記挟み板４３は前輪を挟んで、輸送中にハンドルと前輪が回ったり揺れたりすることを防止でき、前記第一側板１３には押しロッド装置１０３が設けられ、前記押しロッド装置１０３は前記第一側板１３の中に設けられた昇降空間４９を含み、前記昇降空間４９の後壁の中には第二モーター５０が固定的に設けられ、前記第二モーター５０の前端には第六ねじロッド５１が伝動できるように連結され、前記昇降空間４９の中には前記第六ねじロッド５１にねじ山によって連結された昇降ブロック５２が前後にスライドできるように設けられている。
【００１７】
有益に、前記自動開閉装置１０１は、前記固定ブロック１２の上下端面に対称に設けられ且つ前記第一翻転溝１４の左側に位置する第二スライドブロック空間１６を含み、前記第二スライドブロック空間１６の互いに近接する側の内壁には第二ねじロッド１７が回転できるように設けられ、前記第二スライドブロック空間１６の中には前記第二ねじロッド１７にねじ山によって連結された第二スライドブロック１８が上下にスライドできるように設けられ、前記第二スライドブロック１８の相反する端には連結溝２３が形成され、前記第一側板１３の中の右側には第三スライドブロック空間１９が設けられ、前記第三スライドブロック空間１９の中には第三スライドブロック２０が左右にスライドできるように設けられ、前記第三スライドブロック空間１９の互いに近接する側の内壁には連結通路２１が連通するように設けられ、前記連結通路２１の開口が向き合っおり、前記連結通路２１の中には一端が前記第三スライドブロック２０と固定的に連結された当接ロッド２２が左右にスライドできるように設けられ、前記当接ロッド２２のもう一端が前記連結溝２３の前後壁の間に回転できるように連結されている。
【００１８】
有益に、前記固定ブロック１２の中において前記第二スライドブロック空間１６の間には第一連動空間２４が設けられ、前記第一連動空間２４の上下壁の間には第一回転軸２５が回転できるように設けられ、前記第一回転軸２５の上下両端が前記第二スライドブロック空間１６の中に延びて前記第二ねじロッド１７と固定的に連結され、前記第一回転軸２５において前記第一連動空間２４の中には第一歯車２６が固定的に設けられ、前記底板１１の中において前記固定ブロック１２の後方には動力空間２７が設けられ、前記動力空間２７の右壁には第一モーター２８が固定的に設けられ、前記第一モーター２８の左端には第二回転軸２９が伝動できるように連結され、前記第二回転軸２９には第一はすば歯車３０が固定的に設けられ、前記動力空間２７の前壁の中には前端が前記第一連動空間２４の中に延びた第三回転軸３１が回転できるように設けられ、前記第三回転軸３１の後端において前記動力空間２７の中には前記第一はすば歯車３０と噛み合っている第二はすば歯車３２が固定的に設けられ、前記第三回転軸３１の前端において前記第一連動空間２４の中には前記第一回転軸２５と噛み合っている第三ねじロッド３３が固定的に設けられている。
【００１９】
有益に、前記底板１１の左端面には前方と左方へ開口した第二翻転溝３４が形成され、前記第二翻転溝３４の上下壁の間には第四回転軸３５が回転できるように設けられ、前記第四回転軸３５には前端が外部に延びた第二側板３６が固定的に設けられ、前記第二側板３６の後端において前記動力空間２７の左側にはラック溝穴３７が設けられ、前記第四回転軸３５において前記ラック溝穴３７の中には弓形ラック３８が固定的に設けられ、前記第二回転軸２９の左端が前記第二翻転溝３４の中に延び、前記第二回転軸２９の左端には前記弓形ラック３８と噛合している第四ねじロッド３９が固定的に設けられている。
【００２０】
有益に、前記前輪固定装置１０２は、前記固定ブロック１２の中に設けられ且つ前記第一スライドブロック空間４０の間に位置する第二連動空間４５を含み、前記第二連動空間４５の前後壁の間には第五回転軸４６が回転できるように設けられ、前記第五回転軸４６の前後両端が前記第一スライドブロック空間４０の中に延びて前記第一ねじロッド４１と固定的に連結され、前記第五回転軸４６において前記第二連動空間４５の中には第二歯車４７が固定的に設けられ、前記第二はすば歯車３２において前記第二連動空間４５の中には前記第二歯車４７と噛合している第五ねじロッド４８が固定的に設けられている。
【００２１】
前記押しロッド装置１０３は、前記昇降ブロック５２に上下に貫通するように設けられた押しロッドスライド通路５３を含み、前記第一緩衝スポンジ６３には前記昇降空間４９と連通している昇降通路５４が設けられ、前記昇降通路５４の開口が向き合っており、上下両側の前記押しロッドスライド通路５３の中には前記昇降通路５４を貫通した押しロッド５５が上下にスライドできるように設けられ、下側の前記昇降空間４９の下壁には下方へ開口した押しロッド出口５６が連通するように設けられ、前記昇降ブロック５２が前限界位置までスライドしたとき、前記押しロッドスライド通路５３が前記押しロッド出口５６と連通し、且つ前記押しロッド５５が前記押しロッド５６を通って外部までスライドできる。
【００２２】
有益に、下側の前記押しロッドスライド通路５３の後壁には引っ掛かり溝５７が連通するように形成され、前記押しロッド５５の後端面の下端には引っ掛かりブロック空間５８が設けられ、前記引っ掛かりブロック空間５８の中には引っ掛かりブロック５９が前後にスライドできるように設けられ、前記引っ掛かりブロック５９の後端は前記引っ掛かり溝５７の中まで伸びることができ、前記引っ掛かりブロック５９の前端と前記引っ掛かりブロック空間５８の内壁にはばね６０が固定的に連結され、前記引っ掛かりブロック５９の前端には引き糸６１が固定的に設けられ、前記引き糸６１の一端が前記押しロッド５５の下端を貫通し外部まで延びており、且つ前記引き糸６１の一端には引きリング６２が固定的に設けられている。
【００２３】
以下に図１〜５とあわせて本願発明の使用手順を説明する。
初期状態に、第一側板１３が水平状態にあり、第二スライドブロック１８が第一連動空間２４に近接する側の限界位置にあり、第三スライドブロック２０が右限界位置にあり、第二側板３６の前端が前限界位置にあり、第一スライドブロック４２が第二連動空間４５に近接する側の限界位置にあり、昇降ブロック５２が前限界位置にあり、押しロッド５５の上下両端が押しロッドスライド通路５３の中に位置し、引っ掛かりブロック５９の後端が引っ掛かり溝５７の中まで延びている。
電動バイクを底板１１に停める必要があるとき、引きリング６２で引き糸６１を下方へ引き、引き糸６１が引っ掛かりブロック５９を引っ掛かりブロック空間５８の中まで引き戻し、引き続き引けば押しロッド５５が連動して電動バイクの置きに影響しない位置まで下方へスライドし、第一モーター２８が作動し第二回転軸２９を回転させ、第四ねじロッド３９が第二回転軸２９に従って回転して弓形ラック３８と第四回転軸３５を回転させ、これによって第二側板３６の上端が地面と当接するまで第二側板３６が左方へ翻転し、第二回転軸２９が回転するとき、第一はすば歯車３０が第二回転軸２９に従って回転し、歯車の噛合によって第三回転軸３１を回転させ、そして第三回転軸３１が第三ねじロッド３３と第五ねじロッド４８を回転させ、第三ねじロッド３３の回転によって第一歯車２６を回転させ、第一回転軸２５が第一歯車２６に従って回転して第二ねじロッド１７を回転させ、ねじ山の連結によって第二ねじロッド１７を第一連動空間２４から離れた方向へスライドさせ、そして当接ロッド２２によって第一側板１３をそれぞれ上下両側へ翻転させ、これで電動バイクを底板１１に停めることができ、第五ねじロッド４８が回転するとき第二歯車４７を回転させ、第五回転軸４６が第二歯車４７に従って回転して第一ねじロッド４１を回転させ、ねじ山の連結によって第一スライドブロック４２を第二連動空間４５から離れた方向へスライドさせ、これで電動バイクを停めるときに電動バイクの前輪を挟み板４３の間に置くことができる。
電動バイクをセンタースタンドで停めた後、第一モーター２８が逆回転して第二側板３６を初期状態まで翻転させると同時に上下両側の第一側板１３を初期状態まで翻転させ、第一側板１３が翻転すると同時に挟み板４３を第二連動空間４５に近接する側へスライドさせ、挟み板４３が電動バイクの前輪を挟み、輸送中にハンドルと前輪が回ったり揺れたりすることを避け、このとき押しロッド５５を初期状態まで押し戻し、引っ掛かりブロック５９の下端がばね６０によって引っ掛かり溝５７の中まで挿入され初期状態まで戻り、第二モーター５０が作動し第六ねじロッド５１を回転させ、ねじ山の連結によって昇降ブロック５２を、押しロッド５５が電動バイクのペダルと当接するまで後方へスライドさせ、輸送車両が揺れるときに電動バイク全体が揺れたり回ったりすることで傷つけられることは防止できる。
【００２４】
以上の方式により、当業者は本願発明の範囲内で作業方法によって様々な変更を行うことができる。
【要約】
【課題】本願発明はペダル付き電動バイク輸送用の繰り返して使用可能な物流箱を開示した。
【解決手段】
底板と前記底板の前端面の右端に固定的に設けられた固定ブロックを含み、前記底板と前記固定ブロックには自動開閉装置が設けられ、前記自動開閉装置は前記底板と前記固定ブロックの上下両側に対称に設けられた第一側板を含み、前記第一側板の向き合っている側の端面には第一緩衝スポンジが固定的に設けられ、前記固定ブロックの上下端面には右方へ開口した第一翻転溝が対称に形成され、前記第一翻転溝の開口方向が互いに逆であり、前記第一翻転溝の前後壁の間には第一翻転ブロックが回転できるように設けられている。
【選択図】図１【図１】
0006813744.tif 000002
【図２】
0006813744.tif 000003
【図３】
0006813744.tif 000004
【図４】
0006813744.tif 000005
【図５】
0006813744.tif 000006